(57)【要約】【課題】水密状態となるように大型の搬入口を閉鎖することを可能にする水密扉を提供する。【解決手段】建屋に形成された大型搬入口１００を開閉する外側扉体１２ａ、１２ｂ及び内側扉体１４ａ、１４ｂと、大型搬入口１００の縁部と外側扉体１２ａ、１２ｂ及び内側扉体１４ａ、１４ｂとの間に介在し、外側扉体１２ａ、１２ｂ及び内側扉体１４ａ、１４ｂを閉鎖した場合に、縁部と扉体とを水密状態にするパッキン２０とを有する水密扉１０であって、外側扉体１２ａ、１２ｂ及び内側扉体１４ａ、１４ｂは、観音開きであり、閉鎖した場合に互いに対向する先端部に傾斜面を有し、パッキン２０は、外側扉体１２ａ、１２ｂ少なくともいずれか一方の傾斜面及び内側扉体１４ａ、１４ｂの少なくともいずれか一方の傾斜面に設けられる。【選択図】図２
2013119712.tif 000002
【特許請求の範囲】
【請求項１】
建屋に形成された搬入口を開閉する扉体と、
前記建屋における前記搬入口の縁部と前記扉体との間に介在し、前記扉体を閉鎖した場合に、前記縁部と前記扉体とを水密状態にするパッキンとを有する水密扉であって、
前記扉体は、観音開きの一対の第１開閉体からなり、
前記一対の第１開閉体における一方の開閉体は、先端部における開方向側の面に第１傾斜面を有し、
前記一対の第１開閉体における他方の開閉体は、先端部における閉方向側の面に第２傾斜面を有し、
前記第１傾斜面及び前記第２傾斜面は、前記一対の第１開閉体が閉鎖した場合に、互いに当接し、
前記パッキンは、前記第１傾斜面及び前記第２傾斜面の少なくともいずれか一方の傾斜面に設けられることを特徴とする水密扉。
【請求項２】
前記一方の開閉体は、前記第１傾斜面を含む前記搬入口に対向する面の周縁部に環状の第１溝部を有し、
前記他方の開閉体は、前記搬入口に対向する面において、少なくとも前記縁部に対向する周縁部に第２溝部を有し、
前記パッキンは、紐状に形成され、前記搬入口に対向する面から一部が突出するように前記第１溝部及び第２溝部に埋設されることを特徴とする請求項１記載の水密扉。
【請求項３】
前記扉体は、前記一対の第１開閉体と二重扉を構成する、観音開きの一対の第２開閉体を更に有し、
前記一対の第１開閉体は、前記一対の第２開閉体に対して前記建屋の内側に配置されかつ前記建屋の外側に開閉し、
前記一対の第２開閉体は、前記建屋の内側に開閉することを特徴とする請求項１又は２記載の水密扉。
【請求項４】
前記一対の第２開閉体における一方の開閉体は、先端部における閉方向側の面に第３傾斜面を有し、
前記一対の第２開閉体における他方の開閉体は、先端部における開方向側の面に第４傾斜面を有し、
前記第３傾斜面及び前記第４傾斜面は、前記一対の第２開閉体が閉鎖した場合に、互いに当接し、
前記パッキンは、前記第３傾斜面及び前記第４傾斜面の少なくともいずれか一方の傾斜面に設けられることを特徴とする請求項３記載の水密扉。
【請求項５】
前記一対の第２開閉体における一方の開閉体は、前記第３傾斜面を含む前記搬入口に対向する面の周縁部に環状の第３溝部を有し、
前記一対の第２開閉体における他方の開閉体は、前記搬入口に対向する面において、少なくとも前記縁部に対向する周縁部に第４溝部を有し、
前記パッキンは、紐状に形成され、前記搬入口に対向する面から一部が突出するように前記第３溝部及び第４溝部に埋設されることを特徴とする請求項４記載の水密扉。
【請求項６】
前記一対の第１開閉体と前記一対の第２開閉体との間に棒状部材を架設することを特徴とする請求項３乃至５のいずれか１項記載の水密扉。
【発明の詳細な説明】
【技術分野】
【０００１】
本発明は、水密扉に関する。
【背景技術】
【０００２】
従来、原子力発電所施設は、タービン駆動用の蒸気の復水や原子炉の冷却に使用する水を確保するため、海岸付近に建てられている。ここで、原子力発電所施設において、内部の設備を外部からの雨水や海水から保護する必要がある建屋は、水密構造にしている。
【０００３】
例えば、特許文献１に記載された発電プラントによれば、大口径の海水配管等の大量の水源を有する大型海水ポンプ等の設備と、冠水により機能が損なわれるのを防止することが必要である安全系設備とを、同一建屋に内包しており、この建屋に水密扉を用いている。
【先行技術文献】
【特許文献】
【０００４】
【特許文献１】特許第２６５６６６４号公報
【発明の概要】
【発明が解決しようとする課題】
【０００５】
ところで、原子力発電所施設には原子炉建屋やタービン建屋等があり、これらの建屋は比較的大きく、大型の設備や物資を搬入、搬出が行われることから、大型の搬入口が備えられていることが多い。例えば、原子炉建屋においては、使用済み燃料やキャスクといった大型の物資を搬入、搬出するために大型搬入口が備えられている。
【０００６】
ここで、大型搬入口の開閉は、多くの場合、シャッターによって行われている。しかし、シャッターでは、気密、水密が不十分であり、自然災害によって海水が原子炉建屋付近に迫った場合、建屋内の設備が浸水してしまうおそれがある。
【０００７】
また、従来の水密扉は、構造上、扉サイズが通路程度の大きさに限定されており、比較的小型のものである。しかし、大型搬入口の場合には扉も大きいことから、例えば、自然災害によって海水が建屋付近に迫った場合、扉に加わる水圧も大きくなるため、建屋内の設備の浸水を防ぐためには水密性をより高める工夫が必要となる。
【０００８】
本発明は、このような問題点を解決し、水密状態となるように大型搬入口を閉鎖することを可能にする水密扉を提供することを目的とする。
【課題を解決するための手段】
【０００９】
本発明は、前記目的を達成するため、次に記載する構成を備えている。
【００１０】
（１）  建屋に形成された搬入口を開閉する扉体と、前記建屋における前記搬入口の縁部と前記扉体との間に介在し、前記扉体を閉鎖した場合に、前記縁部と前記扉体とを水密状態にするパッキンとを有する水密扉であって、前記扉体は、観音開きの一対の第１開閉体からなり、前記一対の第１開閉体における一方の開閉体は、先端部における開方向側の面に第１傾斜面を有し、前記一対の第１開閉体における他方の開閉体は、先端部における閉方向側の面に第２傾斜面を有し、前記第１傾斜面及び前記第２傾斜面は、前記一対の第１開閉体が閉鎖した場合に、互いに当接し、前記パッキンは、前記第１傾斜面及び前記第２傾斜面の少なくともいずれか一方の傾斜面に設けられることを特徴とする水密扉。
【００１１】
（１）によれば、一対の第１開閉体の当接部分が傾斜面であり、しかもパッキンが設けられているため、一対の第１開閉体が閉鎖している状態で第１開閉体に圧力がかかった場合に、パッキンが両方の傾斜面に密着するようになる。これにより、水密状態となるように大型の搬入口を閉鎖することが可能になる。
【００１２】
（２）  （１）において、前記一方の開閉体は、前記第１傾斜面を含む前記搬入口に対向する面の周縁部に環状の第１溝部を有し、前記他方の開閉体は、前記搬入口に対向する面において、少なくとも前記縁部に対向する周縁部に第２溝部を有し、前記パッキンは、紐状に形成され、前記搬入口に対向する面から一部が突出するように前記第１溝部及び第２溝部に埋設されることを特徴とする水密扉。
【００１３】
（２）によれば、第１開閉体を閉鎖した場合に、一対の第１開閉体と建屋における搬入口周りの縁部との間にパッキンが潰れた状態で介在するため、水密状態となるように当接することが可能になる。しかも、一対の第１開閉体の傾斜面同士を水密状態となるように当接することが可能になる。
【００１４】
（３）  （１）又は（２）において、前記扉体は、前記一対の第１開閉体と二重扉を構成する、観音開きの一対の第２開閉体を更に有し、前記一対の第１開閉体は、前記一対の第２開閉体に対して前記建屋の内側に配置されかつ前記建屋の外側に開閉し、前記一対の第２開閉体は、前記建屋の内側に開閉することを特徴とする水密扉。
【００１５】
（３）によれば、搬入口を二重扉によって開閉し、しかも、二重扉の構成する第１開閉体及び第２開閉体は、ともに当接部分が傾斜面であるため、一対の第１、第２開閉体が閉鎖している状態で、いずれか一方の開閉体に圧力がかかった場合に、パッキンが弾性変形して両方の傾斜面に密着するようになる。また、一方の開閉体が水の浸入を許したとしても、他方の開閉体が水の浸入を抑止することが可能になる。これにより、水密状態となるように大型の搬入口を閉鎖することが可能になる。更に、例えば、第２開閉体を開放した後、第１開閉体を開放することにより、第２開閉体の側方に第１開閉体を位置付けることが可能になる。これにより、第１開閉体及び第２開閉体の開き代の共用化が可能になり、二重扉のコンパクト化を図ることが可能になる。
【００１６】
（４）  （３）において、前記一対の第２開閉体における一方の開閉体は、先端部における閉方向側の面に第３傾斜面を有し、前記一対の第２開閉体における他方の開閉体は、先端部における開方向側の面に第４傾斜面を有し、前記第３傾斜面及び前記第４傾斜面は、前記一対の第２開閉体が閉鎖した場合に、互いに当接し、前記パッキンは、前記第３傾斜面及び前記第４傾斜面の少なくともいずれか一方の傾斜面に設けられることを特徴とする水密扉。
【００１７】
（４）によれば、一対の第２開閉体の当接部分が傾斜面であり、しかもパッキンが設けられているため、一対の第２開閉体が閉鎖している状態で第２開閉体に圧力がかかった場合に、パッキンが両方の傾斜面に密着するようになる。これにより、水密状態となるように大型の搬入口を閉鎖することが可能になる。
【００１８】
（５）  （４）において、前記一対の第２開閉体における一方の開閉体は、前記第３傾斜面を含む前記搬入口に対向する面の周縁部に環状の第３溝部を有し、前記一対の第２開閉体における他方の開閉体は、前記搬入口に対向する面において、少なくとも前記縁部に対向する周縁部に第４溝部を有し、前記パッキンは、紐状に形成され、前記搬入口に対向する面から一部が突出するように前記第３溝部及び第４溝部に埋設されることを特徴とする水密扉。
【００１９】
（５）によれば、第２開閉体を閉鎖した場合に、一対の第２開閉体と建屋における搬入口周りの縁部との間にパッキンが潰れた状態で介在するため、水密状態となるように当接することが可能になる。しかも、一対の第２開閉体の傾斜面同士を水密状態となるように当接することが可能になる。
【００２０】
（６）  （３）〜（５）において、前記一対の第１開閉体と前記一対の第２開閉体との間に棒状部材を架設することを特徴とする水密扉。
【００２１】
（６）によれば、棒状部材が、所謂、つっかえ棒となり、外部からの圧力によって一対の第１開閉体及び一対の第２開閉体が開放してしまうことを防止することができる。
【発明の効果】
【００２２】
本発明によれば、水密状態となるように大型搬入口を閉鎖することが可能な水密扉を提供することが可能になる。
【図面の簡単な説明】
【００２３】
【図１】原子力発電所施設の配置の一例を示す説明図である。
【図２】本発明の一実施形態における水密扉１０の概要を示す平面図である。
【図３】外側扉体１２ａ、１２ｂ及び内側扉体１４ａ、１４ｂの外面の外観を示す正面図である。
【図４】パッキン２０の始端と終端との接合構造を示す説明図である。
【図５】傾斜面１３ａ（１５ａ）、１３ｂ（１５ｂ）の当接状態を示す説明図である。
【図６】外側扉体１２ａ、１２ｂ及び内側扉体１４ａ、１４ｂの内面の外観を示す正面図である。
【図７】補強材４０の構成を示す斜視図である。
【発明を実施するための形態】
【００２４】
以下、本発明の実施形態について、図面を参照しながら詳細に説明する。
【００２５】
図１は、原子力発電所施設の配置の一例を示す説明図であり、原子力発電所施設としては、原子炉建屋７０、タービン建屋７２、取水建屋７４、非常用電源設備７６等があり、これらの建屋が海岸沿いの敷地内に建てられている。
【００２６】
原子炉建屋７０内には、原子炉が配置されている。タービン建屋７２には、原子炉建屋７０の設備によって生成された蒸気によって回転するタービンが配置されている。取水建屋７４には、原子炉の冷却やタービンの回転に使用した蒸気の復水等のために、海水を汲み上げて原子炉建屋７０やタービン建屋７２に供給するための、ポンプ等の設備が配置されている。非常用電源設備７６は、非常用に用いる設備である。
【００２７】
また、原子炉建屋７０は、使用済み燃料やキャスクといった大型の物資を搬入、搬出するために大型搬入口１００を備えており、更に、この大型搬入口１００を開閉する水密扉１０を備えている。なお、タービン建屋７２、取水建屋７４も、大型設備や資材を搬入、搬出するために大型搬入口を備えており、この大型搬入口を開閉する水密扉を備えている。なお、以下の説明においては、原子炉建屋７０の搬入口に水密扉１０が設置されている場合を例に説明する。
【００２８】
図２は、本発明の一実施形態における水密扉１０の概要を示す平面図である。水密扉１０は、扉体及び第２開閉体に相当する一対の外側扉体１２ａ、１２ｂと、扉体及び第１開閉体に相当する一対の内側扉体１４ａ、１４ｂと、ヒンジ１６と、パッキン２０とを備えている。
外側扉体１２ａ、１２ｂ及び内側扉体１４ａ、１４ｂは、２枚の矩形の金属板の間に鉄骨部材を介在させてなる、厚みを有する板状部材である。外側扉体１２ａと外側扉体１２ｂ、及び内側扉体１４ａと内側扉体１４ｂは同型である。
【００２９】
ヒンジ１６は、建屋の大型搬入口１００の両側部に一対の外側扉体１２ａ、１２ｂ、及び一対の内側扉体１４ａ、１４ｂを回動自在に設置するものである。
【００３０】
パッキン２０は、外側扉体１２ａ、１２ｂ及び内側扉体１４ａ、１４ｂに設けられたゴム製の部材である。パッキン２０は、外側扉体１２ａ、１２ｂ及び内側扉体１４ａ、１４ｂを閉鎖した際に、大型搬入口１００の縁部と外側扉体１２ａ、１２ｂ及び内側扉体１４ａ、１４ｂとの間に変形した状態で介在することにより、大型搬入口１００の縁部と外側扉体１２ａ、１２ｂ及び内側扉体１４ａ、１４ｂとの間を水密にする。
【００３１】
原子炉建屋７０は、外側扉体１２ａ、１２ｂ及び内側扉体１４ａ、１４ｂを内部に収容するための扉ホール８０を備えている。この扉ホール８０を構成している壁材の一部には、外側搬入口１００ａが形成されている。また、外側搬入口１００ａが形成された壁材に対向する壁材には内側搬入口１００ｂが形成されている。すなわち、原子炉建屋７０の大型搬入口１００は、外側搬入口１００ａ及び内側搬入口１００ｂからなり、外側搬入口１００ａ及び内側搬入口１００ｂはそれぞれ使用済み燃料やキャスクの搬入、搬出が可能な大きさである。
【００３２】
外側扉体１２ａ、１２ｂは、外側搬入口１００ａの両側部の壁材縁部における所定部位にヒンジ１６によって、外側搬入口１００ａを観音開きによって開閉するように設置される。内側扉体１４ａ、１４ｂは、内側搬入口１００ｂの両側部の壁材縁部における所定部位にヒンジ１６によって、内側搬入口１００ｂを観音開きによって開閉するように設置される。
【００３３】
ここで、外側扉体１２ａ、１２ｂは、建屋の内側に向かって観音開きが行われ、内側扉体１４ａ、１４ｂは、建屋の外側に向かって観音開きが行われる。このように、外側扉体１２ａ、１２ｂと内側扉体１４ａ、１４ｂとは二重扉を構成している。なお、以下の説明の便宜上、外側扉体１２ａ、１２ｂ及び内側扉体１４ａ、１４ｂを閉鎖した状態において、外側扉体１２ａ、１２ｂ及び内側扉体１４ａ、１４ｂにおける扉ホール８０内を向く面を内面、内面の反対面を外面と称することにする。また、外側扉体１２ａ、１２ｂ及び内側扉体１４ａ、１４ｂにおいて、ヒンジ１６によって回動可能に支持される端部を固定端部、閉鎖した際に互いに対向する端部を先端部と称することにする。
【００３４】
また、外側扉体１２ａ、１２ｂと内側扉体１４ａ、１４ｂとは、縦方向の長さは同一であるが、横方向の長さは外側扉体１２ａ、１２ｂの方が長く設定されている。また、外側扉体１２ａ、１２ｂから内側扉体１４ａ、１４ｂまでの長さは、外側扉体１２ａ、１２ｂの横方向の長さよりも若干長く設定されている。このため、外側扉体１２ａ、１２ｂを正面視した場合、図２（ｂ）に示すように、内側扉体１４ａ、１４ｂの回動軸は、外側扉体１２ａ、１２ｂよりも中央寄りに配置されている。
【００３５】
外側扉体１２ａ、１２ｂの先端部には、第３、第４傾斜面に相当する傾斜面１３ａ、１３ｂが形成されている。内側扉体１４ａ、１４ｂの先端部には、第１、第２傾斜面に相当する傾斜面１５ａ、１５ｂが形成されている。この傾斜面１３ａ、１３ｂ、傾斜面１５ａ、１５ｂの角度は、３０°〜６０°に設定可能であるが、４５°が望ましい。
【００３６】
また、外側搬入口１００ａは、外側扉体１２ａと外側扉体１２ｂとを閉鎖することによって形成される矩形よりも、一回り小さく形成されている。このため、外側扉体１２ａと外側扉体１２ｂとを閉鎖した場合には、外側扉体１２ａ、１２ｂの外面の周端部が、外側搬入口１００ａを形成する壁材の縁部に当接する。
【００３７】
同様に、内側搬入口１００ｂは、内側扉体１４ａと内側扉体１４ｂとを閉鎖することによって形成される矩形よりも、一回り小さく形成されている。このため、内側扉体１４ａと内側扉体１４ｂとを閉鎖した場合には、内側扉体１４ａ、１４ｂの外面の周端部が、内側搬入口１００ｂを形成する壁材の縁部に当接する。
【００３８】
大型搬入口１００を開放する際には、まず、外側扉体１２ａ、１２ｂを回動させて、外側扉体１２ａ、１２ｂの先端部を、内側扉体１４ａ、１４ｂの側方に位置付ける。次に、内側扉体１４ａ、１４ｂを回動させて、外側扉体１２ａ、１２ｂの側方に内側扉体１４ａ、１４ｂを位置付ける。これにより、図１（ｂ）に示すように、大型搬入口１００が開放される。大型搬入口１００を閉鎖する場合には、まず、内側扉体１４ａ、１４ｂを回動させて、内側扉体１４ａ、１４ｂの傾斜面１５ａ、１５ｂ同士を当接させ、次に、外側扉体１２ａ、１２ｂを回動させて、外側扉体１２ａ、１２ｂの傾斜面１３ａ、１３ｂ同士を当接させる。これにより、内側扉体１４ａ、１４ｂ及び外側扉体１２ａ、１２ｂによって、図１（ａ）に示すように、大型搬入口１００が閉鎖される。
【００３９】
図３は、外側扉体１２ａ、１２ｂ及び内側扉体１４ａ、１４ｂの外面の外観を示す正面図であり、図３（ａ）は、外側扉体１２ａ、１２ｂの外面を示し、図３（ｂ）は、内側扉体１４ａ、１４ｂの外面を示す。図５は、外側扉体１２ａ、１２ｂ及び内側扉体１４ａ、１４ｂの先端部の構成を示す平面図である。
【００４０】
図３（ａ）に示すように、外側扉体１２ａは、第３溝部に相当する溝１８ａ、第４溝部に相当する溝１８ｂを備えている。溝１８ａは、外側扉体１２ａの外面の端部を周回するように環状に形成されている。溝１８ｂは、外側扉体１２ｂの外面の先端部における上下方向の一方の端部から、外面の端部をコ字状に周回し、外面の先端部から内面の先端部を通って、他方の端部に連結するように環状に形成されている。ここで、外側扉体１２ａの先端部の傾斜面１３ａは、外側（扉ホール８０の反対側）を向いているため、外側扉体１２ａの外面に含まれている。このため、外側扉体１２ａの先端部の傾斜面１３ａに溝１８ａが形成されている。一方、外側扉体１２ｂの先端部の傾斜面１３ｂ（図１参照）には溝１８ｂの一部が形成されている。ここで、傾斜面１３ｂ（図１参照）に形成された溝１８ｂの一部の両端部は、外側扉体１２ａの先端の辺に対して約４５°の斜め方向に形成されている。
【００４１】
また、溝１８ａ、１８ｂはパッキン２０を固定するものである。パッキン２０は円柱の紐状のゴム部材からなり、一部が外側扉体１２ａ、１２ｂの外面から突出するように溝１８ａ、１８ｂに埋設される。具体的には、溝１８ａ、１８ｂの所定位置にパッキン２０の始端を埋設し、更にパッキン２０を溝１８ａ、１８ｂに埋設する。そして、パッキン２０が溝１８ａ、１８ｂの所定位置に到達した場合に所定位置に合わせて、パッキン２０の始端と終端を斜め方向に切断し、図４（ａ）に示すように、パッキン２０の始端と終端との切り口面に接着剤２０ａを塗布して、始端と終端と切り口面同士を接着する。そして、この接着部分を溝１８ａ、１８ｂに埋設する。この時、パッキン２０の始端と終端との接着面を、図４（ｂ）に示すように、外側扉体１２ａ、１２ｂの外面側に向けて、接着面が外側扉体１２ａ、１２ｂの外面と平行、又は平行に近くなるように埋設する。これにより、パッキン２０が外側扉体１２ａ、１２ｂに固定される。
【００４２】
図３（ｂ）に示すように、内側扉体１４ａは、第１溝部に相当する溝１８ｃ、第２溝部に相当する溝１８ｄを備えている。溝１８ｃは、内側扉体１４ａの外面の端部を周回するように環状に形成されている。溝１８ｄは、内側扉体１４ｂの外面の先端部における上下方向の一方の端部から、外面の端部をコ字状に周回し、外面の先端部から内面の先端部を通って、他方の端部に連結するように環状に形成されている。ここで、内側扉体１４ａの先端部の傾斜面１５ａは、外側（扉ホール８０の反対側）を向いているため、内側扉体１４ａの外面に含まれている。このため、内側扉体１４ａの先端部の傾斜面１５ａに溝１８ｃが形成されている。一方、内側扉体１４ｂの先端部の傾斜面１５ｂ（図１参照）には溝１８ｄの一部が形成されている。ここで、傾斜面１５ｂ（図１参照）に形成された溝１８ｄの一部の両端部は、内側扉体１４ｂの先端の辺に対して約４５°の斜め方向に形成されている。
【００４３】
また、溝１８ｃ、１８ｄは、溝１８ａ、１８ｂと同様にパッキン２０を固定するものである。パッキン２０は、外側扉体１２ａ、１２ｂの場合と同様に、一部が内側扉体１４ａ、１４ｂの外面から突出するように溝１８ｃ、１８ｄに埋設される。また、パッキン２０の始端と終端も外側扉体１２ａ、１２ｂの場合と同様に、斜め方向に切断され、図４（ａ）に示すように、パッキン２０の始端と終端との切り口面に接着剤２０ａを塗布して、始端と終端と切り口面同士を接着する。そして、この接着部分を溝１８ｃ、１８ｄに埋設する。この時、パッキン２０の始端と終端との接着面を、図４（ｂ）に示すように、内側扉体１４ａ、１４ｂの外面側に向けて、接着面が内側扉体１４ａ、１４ｂの外面と平行、又は平行に近くなるように埋設する。
【００４４】
また、内側扉体１４ａは、作業員の出入りを可能にする子扉２２を備えている。この子扉２２は、内側扉体１４ａに形成された、作業員が出入り可能な大きさの出入口を開閉するものであり、扉ホール８０の内側に向かって開閉する。また、子扉２２の周辺部にはパッキン（図示せず）が設けられており、子扉２２を閉鎖した場合に、子扉２２の周囲と内側扉体１４ａにおける出入口の縁部との間にパッキン（図示せず）が潰れた状態で介在することにより、子扉２２と内側扉体１４ａとは、水密状態となる。
【００４５】
そして、外側扉体１２ａ、１２ｂを閉鎖した場合、図５（ａ）に示すように、外側扉体１２ａの傾斜面１３ａと外側扉体１２ｂの傾斜面１３ｂとの間に、傾斜面１３ａ及び傾斜面１３ｂに埋設したパッキン２０が介在する。ここで、図５（ｂ）に示すように、傾斜面１３ａ及び傾斜面１３ｂが当接した場合に、傾斜面１３ａ及び傾斜面１３ｂの間のパッキン２０は、傾斜面１３ａのパッキン２０と傾斜面１３ｂのパッキン２０とが密着して環状に形成される。そして、図５（ｃ）に示すように、パッキン２０が傾斜面１３ａと傾斜面１３ｂとの間で潰れた状態になり、両傾斜面１３ａ、１３ｂの間に密着して水密状態となる。このとき、傾斜面１３ｂにおけるパッキン２０の両端部は、内側扉体１４ｂの先端の辺に対して約４５°の斜め方向を向いているため、傾斜面１３ａにおけるパッキン２０との干渉を回避することができる。
【００４６】
内側扉体１４ａ、１４ｂを閉鎖した場合も同様に、図５（ａ）に示すように、内側扉体１４ａの傾斜面１５ａと内側扉体１４ｂの傾斜面１５ｂとの間に、傾斜面１５ａ及び傾斜面１５ｂに埋設したパッキン２０が介在する。ここで、図５（ｂ）に示すように、傾斜面１５ａ及び傾斜面１５ｂが当接した場合に、傾斜面１５ａ及び傾斜面１５ｂの間のパッキン２０は、傾斜面１５ａのパッキン２０と傾斜面１５ｂのパッキン２０とが密着して環状に形成される。そして、図５（ｃ）に示すように、パッキン２０が傾斜面１５ａと傾斜面１５ｂとの間で潰れた状態になり、両傾斜面１５ａ、１５ｂの間に密着して水密状態となる。このとき、傾斜面１５ｂにおけるパッキン２０の両端部は、内側扉体１４ｂの先端の辺に対して約４５°の斜め方向を向いているため、傾斜面１５ａにおけるパッキン２０との干渉を回避することができる。
【００４７】
更に、外側扉体１２ａ、１２ｂにおける、傾斜面１３ａ以外の部位のパッキン２０は、扉ホール８０における外側搬入口１００ａの縁部に当接し、当該縁部と外側扉体１２ａ、１２ｂとの間で潰れた状態になる。これにより、扉ホール８０と外側扉体１２ａ、１２ｂとは水密状態となる。
【００４８】
内側扉体１４ａ、１４ｂについても同様であり、内側扉体１４ａ、１４ｂにおける、傾斜面１５ａ以外の部位のパッキン２０は、扉ホール８０における内側搬入口１００ｂの縁部に当接し、当該縁部と内側扉体１４ａ、１４ｂとの間で潰れた状態になる。これにより、扉ホール８０と内側扉体１４ａ、１４ｂとは水密状態となる。
【００４９】
なお、図示していないが、扉ホール８０は、外側扉体１２ａ、１２ｂを開閉駆動させる駆動装置、及び内側扉体１４ａ、１４ｂを開閉駆動させる駆動装置を備えている。本実施形態においては、駆動装置として、空気圧によって外側扉体１２ａ、１２ｂ及び内側扉体１４ａ、１４ｂを開閉駆動させる装置、及び非常用として非常用電源設備７６を電源として電気的に開閉駆動させる装置が設けられている。
【００５０】
図６は、外側扉体１２ａ、１２ｂ及び内側扉体１４ａ、１４ｂの内面の外観を示す正面図であり、図３（ａ）は、外側扉体１２ａ、１２ｂの内面を示し、図３（ｂ）は、内側扉体１４ａ、１４ｂの内面を示す。
【００５１】
外側扉体１２ａは受け部３０ａを備え、外側扉体１２ｂは受け部３０ｂを備えている。受け部３０ａ、３０ｂは、外側扉体１２ａ、１２ｂの先端部に配置され、外側扉体１２ａ、１２ｂが閉鎖された際に、受け部３０ａ、３０ｂが互いに対向する。そして、受け部３０ａ、３０ｂによって、上部が開放された箱体が形成される。この受け部３０ａ、３０ｂに、図７に示す棒状部材に相当する補強材４０の一端部が装着される。
【００５２】
また、内側扉体１４ａは、受け部３２ａを備え、内側扉体１４ｂは、受け部３２ｂを備えている。受け部３２ａ、３２ｂは、内側扉体１４ａ、１４ｂの先端部に配置され、内側扉体１４ａ、１４ｂが閉鎖された際に、受け部３２ａ、３２ｂが互いに対向する。そして、受け部３２ａ、３２ｂによって、上部が開放された箱体が形成される。この受け部３２ａ、３２ｂに、図７に示す補強材４０の他端部が装着される。
【００５３】
外側扉体１２ａの受け部３０ａ、３０ｂ及び内側扉体１４ａの受け部３２ａ、３２ｂは、それぞれ複数設けられており、受け部３０ａ、３０ｂ及び受け部３２ａ、３２ｂは、それぞれ一組ずつ対向している。
【００５４】
図７は、補強材４０の構成を示す斜視図である。補強材４０は、円柱状のシャフト４２の両端部に正方形のフランジ４４、４４を固定した構成である。シャフト４２は、閉鎖した状態の外側扉体１２ａ、１２ｂの内面から内側扉体１４ａ、１４ｂの内面までの長さを有しており、フランジ４４、４４は、受け部３０ａ、３０ｂ及び受け部３２ａ、３２ｂに挿入可能な大きさを有している。ここで、シャフト４２は、アルミニウムのような軽量の金属で構成することが望ましい。
【００５５】
補強材４０は、例えば、外側扉体１２ａ、１２ｂに加わる圧力が大きく、外側扉体１２ａ、１２ｂが開放してしまうおそれがある場合に用いられ、通常は、扉ホール８０内に保管されている。また、補強材４０を取り付ける作業を行うために用いる器具、例えば脚立等も予め扉ホール８０に保管されている。
【００５６】
例えば、気象庁より緊急地震速報や津波警報が発令された場合、外側扉体１２ａ、１２ｂ及び内側扉体１４ａ、１４ｂを閉鎖する。次に、作業員が、子扉２２から扉ホール８０内に入り、補強材４０のフランジ４４、４４を受け部３０ａ、３０ｂ及び受け部３２ａ、３２ｂに装着して、外側扉体１２ａ、１２ｂと内側扉体１４ａ、１４ｂとの間に補強材４０を架設する。これにより、外側扉体１２ａ、１２ｂを開放することがより困難になる。
【００５７】
このように構成された本実施形態によれば、観音開きの一対の外側扉体１２ａ、１２ｂの当接部分が傾斜面１３ａ、１３ｂであり、しかも傾斜面１３ａにパッキン２０が設けられているため外側扉体１２ａ、１２ｂが閉鎖している状態で外側扉体１２ａ、１２ｂに圧力がかかった場合に、パッキン２０が両方の傾斜面１３ａ、１３ｂに密着するようになる。これにより、水密状態となるように大型の外側搬入口１００ａを閉鎖することが可能になる。同様に、観音開きの一対の内側扉体１４ａ、１４ｂの当接部分が傾斜面１５ａ、１５ｂであり、しかも傾斜面１５ａにパッキン２０が設けられているため内側扉体１４ａ、１４ｂが閉鎖している状態で内側扉体１４ａ、１４ｂに圧力がかかった場合に、パッキン２０が両方の傾斜面１５ａ、１５ｂに密着するようになる。これにより、水密状態となるように大型の内側搬入口１００ｂを閉鎖することが可能になる。
【００５８】
また本実施形態によれば、大型搬入口１００を外側扉体１２ａ、１２ｂ及び内側扉体１４ａ、１４ｂの二重扉によって開閉するため、外側扉体１２ａ、１２ｂが水の浸入を許したとしても、内側扉体１４ａ、１４ｂが水の浸入を抑止することが可能になる。これにより、水密状態となるように大型の大型搬入口１００を閉鎖することが可能になる。
【００５９】
また本実施形態によれば、外側扉体１２ａ、１２ｂを開放した後、内側扉体１４ａ、１４ｂを開放することにより、内側扉体１４ａ、１４ｂの側方に外側扉体１２ａ、１２ｂを位置付けることが可能になる。これにより、外側扉体１２ａ、１２ｂ及び内側扉体１４ａ、１４ｂの開き代の共用化が可能になり、二重扉のコンパクト化を図ることが可能になる。
【００６０】
また本実施形態によれば、外側扉体１２ａ、１２ｂと内側扉体１４ａ、１４ｂとの間に補強材４０を架設したことにより、この補強材４０が、所謂、つっかえ棒となり、外部からの圧力によって外側扉体１２ａ、１２ｂ及び内側扉体１４ａ、１４ｂが開放してしまうことを防止することができる。
【００６１】
また本実施形態によれば、外側扉体１２ａ、１２ｂは、外側搬入口１００ａに対向する面の周縁部に環状の溝１８ａ、１８ｂを有し、内側扉体１４ａ、１４ｂは、内側搬入口１００ｂに対向する面の周縁部に環状の溝１８ｃ、１８ｄを有している。特に、外側扉体１２ａの傾斜面１３ａ及び内側扉体１４ａの傾斜面１５ａにも溝１８ａ、１８ｃが形成されており、パッキン２０は、紐状に形成されており、外側搬入口１００ａ、内側搬入口１００ｂに対向する面から一部が突出するように溝１８ａ、１８ｃに埋設される。これにより、外側扉体１２ａ、１２ｂと内側扉体１４ａ、１４ｂと、建屋における外側搬入口１００ａ、内側搬入口１００ｂ周りの縁部とが水密状態となるように当接することが可能になり、しかも、傾斜面１３ａ、１３ｂ及び傾斜面１５ａ、１５ｂ同士を水密状態となるように当接することが可能になる。
【００６２】
また本実施形態によれば、傾斜面の傾斜を４５°にすることにより、一対の第１開閉体が閉鎖している状態で第１開閉体に圧力がかかった場合に、パッキン２０が両方の傾斜面に確実に密着するようになる。
【００６３】
また本実施形態によれば、パッキン２０の始端と終端との接着面を、外側扉体１２ａ、１２ｂの外面側に向けて、接着面が外側扉体１２ａ、１２ｂの外面と平行、又は平行に近くなるように埋設している。これにより、海水が原子炉建屋７０に迫った場合に、外側扉体１２ａ、１２ｂが海水から受ける水圧面と、パッキン２０の接合面が平行、又は平行に近いことから、パッキン２０の接合面が押し合う状態となり、パッキン２０の接合状態を維持することが可能になる。
【００６４】
以上、本発明の一実施形態について説明したが、本発明は、上述した実施形態に限るものではない。例えば、上述した実施形態によれば、外側扉体１２ａ、１２ｂを補強するために補強材４０を装着しているが、それに限らず、例えば、扉ホール８０内が、外側扉体１２ａ、１２ｂ及び内側扉体１４ａ、１４ｂを閉鎖することによって水密及び気密となるように構成し、更に、扉ホール８０内に圧縮空気ボンベを常備する。そして、原子炉建屋７０を水密にする必要がある場合に、まず、外側扉体１２ａ、１２ｂ及び内側扉体１４ａ、１４ｂを閉鎖する。次に、作業員が、子扉２２から扉ホール８０内に入り、圧縮空気ボンベの開閉弁を操作して０．１ＭＰａ程度の圧縮空気を扉ホール８０内に導入し、扉ホール８０内の気圧を高くする。これにより、外側扉体１２ａ、１２ｂ及び内側扉体１４ａ、１４ｂは、扉ホール８０内の気圧によって外側に押圧された状態となり、外側扉体１２ａ、１２ｂの水密状態を保持することが可能になる。
【００６５】
また、前述した実施形態においては、外側扉体１２ｂ及び内側扉体１４ｂに対し、円環状の溝１８ａ〜１８ｄを形成したが、それに限るものでなく、例えば、傾斜面１３ｂ、１５ｂ（図２参照）の裏側に形成されている溝１８ｂ、１８ｄを省略して、コ字状に形成してもよい。
【符号の説明】
【００６６】
１０  水密扉
１２ａ、１２ｂ  外側扉体
１４ａ、１４ｂ  内側扉体
１６  ヒンジ
１８ａ〜１８ｄ  溝
２０  パッキン
２２  子扉
３０ａ、３０ｂ、３２ａ、３２ｂ  受け部
４０  補強材
４２  シャフト
４４  フランジ
７０  原子炉建屋
７２  タービン建屋
７４  取水建屋
７６  非常用電源設備
８０  扉ホール
１００  大型搬入口
１００ａ  外側搬入口
１００ｂ  内側搬入口
【図１】
2013119712.tif 000003
【図２】
2013119712.tif 000004
【図３】
2013119712.tif 000005
【図４】
2013119712.tif 000006
【図５】
2013119712.tif 000007
【図６】
2013119712.tif 000008
【図７】
2013119712.tif 000009